(57)【要約】  凹凸のある表面上で長テーブルを安定させるための一体型システム。１つの型は、２つの離間する支持体を含み、各支持体は垂直部材を備えている。１つの水平プラットフォームは、支持体のうちの１つの上部及びテーブル天板の下側に取り付けられ、第２の水平プラットフォームは、支柱に付着され、テーブル天板の下側に取り付けられる。支柱は、他の支持体の垂直部材に挿入可能であり、支柱がテーブルを安定させる垂直部材に対して揺動する方法で左右に動くことができるように、第１の端部においてそれに対して移動可能に接合される。別の型は、それぞれが水平部材と、１つの水平部材の上を滑り且つそれに対して移動可能に接続するよう構成される補強材とを有する２つの離間する支持体を有するテーブルを含んでいる。取り付ける場合、補強材は、水平部材との接続点を中心として揺動してもよい。【選択図】図１
2020536669.tif 000002
【特許請求の範囲】
【請求項１】
テーブルであって、
前記テーブルの対向する縁部に隣接する２つの離間する支持体によって支持されるテーブル天板であって、前記支持体のそれぞれは垂直部材を備える、テーブル天板と、
前記テーブル天板の下側に取り付けられる前記２つの離間する支持体のうちの第１のものに取り付けられる第１水平プラットフォームと、
支柱に付着され、前記テーブル天板の前記下側に取り付けられる第２水平プラットフォームであって、前記支柱は、前記離間する支持体のうちの前記第２のものの前記垂直部材に挿入され、上端において前記垂直部材に移動可能に接合される、第２水平プラットフォームと、を備え、
前記支柱は、前記テーブルを安定させる前記垂直部材に対して揺動する方法で左右に移動してもよい、テーブル。
【請求項２】
各支持体の底部の近位から延在する少なくとも１対の脚をさらに備える、請求項１に記載のテーブル。
【請求項３】
ナット及びボルトの組み合わせにより、前記支柱を前記垂直部材の上端に移動可能に接合する、請求項１に記載のテーブル。
【請求項４】
前記テーブル天板及び離間する各支持体は直角を形成しない、請求項１に記載のテーブル。
【請求項５】
テーブルであって、
前記テーブルの対向する縁部に隣接する２つの離間する支持体によって支持されるテーブル天板であって、前記支持体のそれぞれは、前記テーブル天板の下側に取り付けられる水平部材によって分けられる１対の脚を備える、テーブル天板と、
補強材が、前記２つの離間する支持体の前記水平部材の１つへの接続点を中心として旋回することができるように、前記テーブル天板の下側に付着され、前記２つの離間する支持体の前記水平部材の前記１つに移動可能に取り付けられる補強材と、を備えるテーブル。
【請求項６】
前記水平部材又は補強材に付着される１つ以上の横桟をさらに備える、請求項５に記載のテーブル。
【請求項７】
前記補強材はＵ字形の本体を有する、請求項５に記載のテーブル。
【請求項８】
前記Ｕ字形本体は、前記２つの離間する支持体の前記水平部材の前記１つの上を滑る寸法にされている、請求項７に記載のテーブル。
【請求項９】
各脚の底部に足部をさらに備える、請求項５に記載のテーブル。
【請求項１０】
前記テーブル天板及び離間する各支持体は直角を形成しない、請求項５に記載のテーブル。
【請求項１１】
テーブルであって、
テーブル天板であって、前記テーブル天板の下側に取り付けられる少なくとも２つの独立する垂直支持体と、前記テーブル天板の下側に取り付けられる水平部材によって分けられる１対の脚を備える第３支持体と、を含む複数の離間する支持体によって支持されるテーブル天板と、
補強材であって、前記テーブル天板の下側に付着され、前記補強材が前記水平部材に対して旋回することができるように前記第３支持体に移動可能に取り付けられる補強材と、を備えるテーブル。
【請求項１２】
前記補強材に付着される横桟をさらに備える、請求項１１に記載のテーブル。
【請求項１３】
前記補強材はＵ字形の本体を有する、請求項１１に記載のテーブル。
【請求項１４】
前記Ｕ字形本体は、２つの離間する支持体の前記水平部材の１つの上を滑る寸法にされている、請求項１３に記載のテーブル。
【請求項１５】
各脚の底部に足部をさらに備える、請求項１１に記載のテーブル。
【請求項１６】
各垂直支持体の上部に水平プラットフォームをさらに備える、請求項１１に記載のテーブル。
【請求項１７】
前記テーブル天板及び離間する各支持体は直角を形成しない、請求項１１に記載のテーブル。
【発明の詳細な説明】
【技術分野】
【０００１】
[0001]  この出願は、２０１７年１０月１２日に米国特許商標庁に出願された非仮特許出願第１５／７８２，６４０号、発明の名称「Self-Stabilizing System and Method for a Long Table」の利益を主張し、その内容を全て引用して本明細書に組み込む。
【０００２】
[0002]  本発明の実施形態は、テーブル及び椅子が揺れることを防止するための自己安定化システムを組み込む長テーブルに関する。
【背景技術】
【０００３】
[0003]  テーブル天板、特に、レストラン及び他の商店において用いられるテーブルに関連するものは、そのテーブル天板に置かれた品物が安定して保たれるように理想的に安定している。その上、凹凸のある表面上で常に移動するテーブルは、その周りに着座する人にとって極めて混乱を生じさせる。テーブルの１つの脚の下の折り畳んだ紙の配置を含む解決策は、全く効果がない。
【０００４】
[0004]  従って、凹凸のある表面上のテーブルに関連するテーブル天板を安定させるための新しい自動システムを開発することは有益であろう。
【発明の概要】
【０００５】
[0005]  本発明の実施形態は、凹凸のある表面上でテーブルを安定させるための一体型システムに向けられる。一実施形態において、テーブルは、テーブルの対向する縁部に隣接する２つの離間する支持体によって支持されるテーブル天板であって、前記支持体のそれぞれは、その底部の近位から延在する少なくとも１対の脚を有する垂直部材を備える、テーブル天板と、前記支持体のうちの１つの上部及び前記テーブル天板の下側に取り付けられる第１水平プラットフォームと、支柱に付着され、前記テーブル天板の前記下側に取り付けられる第２水平プラットフォームであって、前記支柱は、前記支持体のうちの前記第２のものの前記垂直部材に挿入され、上端において前記垂直部材に移動可能に接合される、第２水平プラットフォームと、を備え、前記支柱は、前記テーブルを安定させる前記垂直部材に対して揺動する方法で左右に移動してもよい。
【０００６】
[0006]  一実施形態において、垂直シャフトと支柱との間の接続は、垂直部材内部での支柱の揺動運動を可能にするために必要な力を調整するよう、締められたり緩められたりしてもよい。
【０００７】
[0007]  別の実施形態において、テーブルは、テーブルの対向する縁部に隣接する２つの離間する支持体によって支持されるテーブル天板であって、前記支持体のそれぞれは、前記テーブル天板の下側に付着される水平部材によって分けられる１対の脚を備える、テーブル天板と、補強材が、前記２つの離間する支持体の前記水平部材の１つへの接続点を中心として旋回することができるように、前記テーブル天板の下側に付着され、前記２つの離間する支持体の前記水平部材の前記１つに移動可能に接合される補強材と、を備える。
【０００８】
[0008]  別の実施形態において、テーブルは、テーブル天板であって、前記テーブル天板の下側に取り付けられる少なくとも２つの独立する垂直支持体と、前記テーブル天板の下側に取り付けられる水平部材によって分けられる１対の脚を備える第３支持体と、を含む複数の離間する支持体によって支持されるテーブル天板と、補強材であって、前記テーブル天板の下側に付着され、前記補強材が前記水平部材に対して旋回することができるように前記第３支持体に移動可能に取り付けられる補強材と、を備える。
【０００９】
[0009]  本発明の他の変形例、実施形態、及び特徴は、以下の詳細な説明、図面、及び特許請求の範囲から明らかになるであろう。
【図面の簡単な説明】
【００１０】
【図１】本発明の実施形態による第１のテーブル自己安定化システムの構成部品を示す。
【図２】本発明の実施形態によって組み立てられる第１のテーブル自己安定化システムの構成部品を示す。
【図３】本発明の実施形態によって更に組み立てられる第１のテーブル自己安定化システムの構成部品を示す。
【図４】本発明の実施形態によって完全に組み立てられる第１のテーブル自己安定化システムを示す。
【図５Ａ】本発明の実施形態による第２のテーブル自己安定化システムの構成部品の斜視側面図を示す。
【図５Ｂ】本発明の実施形態による第２のテーブル自己安定化システムの構成部品の斜視上面図を示す。
【図６Ａ】本発明の実施形態によって取り外される補強材を示す。
【図６Ｂ】本発明の実施形態によって設置される補強材を示す。
【図６Ｃ】本発明の実施形態による、第１の方向に傾けられる補強材を示す。
【図６Ｄ】本発明の実施形態によって第２の方向に傾けられる補強材を示す。
【図７】本発明の実施形態による第３のテーブル自己安定化システムの構成部品を示す。
【図８】本発明の実施形態による第３のテーブル自己安定化システムを示す。
【図９】本発明の実施形態によるテーブル及びテーブル天板と支持体との間の角度を示す。
【発明を実施するための形態】
【００１１】
[0023]  本発明の実施形態による原理の理解を促進する目的のため、ここで図面に示す実施形態を参照し、特定の言語を用いてそれを説明する。それにもかかわらず、発明の適用範囲の何の制限もそれによって意図していないことが理解されるであろう。当業者及びこの開示を所有する者に通常生じる、本明細書中に示す発明の特徴の任意の変形及び更なる修正、並びに本明細書中に示すような発明の原理の任意の追加の適用は、主張する発明の適用範囲内にあると見なされるべきである。
【００１２】
[0024]  図１〜図４は、本発明の実施形態による自己安定化テーブル１００及びその構成部品の第１実施形態を示している。テーブル１００は、大まかに、２つの離間した支持体１２０−１、１２０−２によって支持されるテーブル天板１１０と、第１水平プラットフォーム１３０と、支柱１５０に付着される第２水平プラットフォーム１４０と、を備えている。１対の脚１２２−１〜１２２−４は、前記２つの支持体１２０−１、１２０−２のそれぞれから延在している。第１水平プラットフォーム１３０は、前記支持体のうちの第１のもの１２０−１の上部及び前記テーブル天板１１０の下側に取り付けるよう構成される。第２水平プラットフォーム１４０は、支柱１５０に付着され、前記テーブル天板１１０の下側に取り付けるよう構成される。図示するように、水平プラットフォーム１３０、１４０は、互いに接合される４つのＬ字型の部材によって形成される。他のプラットフォーム設計も同様に用いられてもよい。
【００１３】
[0025]  前記支柱１５０は、前記支持体１２０−２によって規定される垂直シャフト１２５に挿入される寸法にされている。図３は、垂直シャフト１２５に挿入されている支柱１５０を示している。挿入されると、支柱１５０は、前記テーブル１００を安定させるよう前記垂直シャフト１２５内部で且つそれに対して揺動する方法で、前記支柱１５０が左右に移動することができるように、上端において前記垂直シャフト１２５に移動可能に接合される。言い換えれば、支柱１５０は、垂直軸１２５内部の接続点１２７を中心として（閾圧力の印加により）揺動することができる。接続点を緩めたり締めたりすること（例えば、ナット及びボルトの組み合わせ）により、垂直シャフト１２５内部で支柱１５０の位置を移動／調整するために必要とされる必要閾圧力を変化させる。
【００１４】
[0026]  支柱１５０のこの移動する能力は、凹凸のある表面上に座するテーブル１００に反応してテーブル天板１００を安定させることができる。図４は、正方形の木の上に置かれた脚１２２−２によって生じる凹凸のある表面上のテーブル１００を示している。図示するように、他の３本の脚１２０−１、１２０−３、及び１２０−４は、垂直軸１２５内部を移動する支柱１５０の能力を想定して、地面に置かれている。このようにして、テーブル１００は、それを中心として配置される利用客との相互作用に基づいてぐらつかない。
【００１５】
[0027]  図５Ａ〜図６Ｄは、本発明の実施形態による自己安定化テーブル２００及びその構成部品の第２実施形態を示している。テーブル２００は、大まかに、それぞれが２つの脚２２５−１〜２２５−４及び水平部材２３０−１、２３０−２（図６Ａにおいて最良に見て取れる）を有する２つの離間した支持体２２０−１、２２０−２によって支持されるテーブル天板（図示せず）を備えている。各脚２２５−１〜２２５−４は、足部２３５−１〜２３５−４を含んでいてもよい。支持体２２０−１は、更に、テーブル天板を更に支持する横桟２２２を含んでいる。
【００１６】
[0028]  補強材２５０は、水平部材２３０−２の上を滑り、それに移動可能に接続するよう構成されている。補強材２５０は、更に、テーブル天板の下側に取り付けられる。補強材２５０は、水平部材２３０−２及び横桟２２４の上を滑るよう構成される本体２５５を備えている。一実施形態において、本体２５５は、矩形水平部材２３０−２の上を滑るようＵ字形（図６Ａにおいて最良に見て取れる）である。当業者は、他の形状が考えられることを認識するであろう。
【００１７】
[0029]  取り付ける場合、図６Ｂ〜図６Ｄに示すように、補強材２５０は、水平部材２３０−２との接続点２６０を中心として旋回することができる。補強材２５０の揺動運動は、凹凸のある地面にある場合にテーブル２００を安定させる。
【００１８】
[0030]  図７及び図８に示す別の実施形態において、テーブル３００は、少なくとも２つの独立した垂直支持体３２０−１、３２０−２を含む複数の離間した支持体と、水平部材３３５によって分けられる１対の脚３３０−１、３３０−２を備える第３支持体３２５とによって支持されるテーブル天板３１０を備えている。各垂直支持体３２０−１、３２０−２は足部３２２−１、３２２−２を含み、第３支持体３２５は１対の足部３２７−１、３２７−２を含んでいる。各垂直支持体３２０−１、３２０−２は、また、テーブル天板３１０の下側に取り付けるための水平プラットフォーム３２４−１、３２４−２も含んでいる。
【００１９】
[0031]  補強材３５０は、水平部材３３５の上を滑るよう構成され、それに移動可能に取り付けられる。補強材３５０は、更に、テーブル天板３１０の下側に取り付けられる。補強材３５０は、水平部材３５５及び横桟３６０の上を滑るよう構成される本体３５５を備えている。一実施形態において、本体３５５は、矩形水平部材３３５の上を滑るよう（図６Ａにおいて見て取れる安定化装置のように）Ｕ字形である。
【００２０】
[0032]  取り付ける場合、図７に示すように、補強材３５０は、水平部材３３５との接続点（図示せず）を中心として旋回する。補強材３５０の揺動運動は、凹凸のある地面にある場合にテーブル３００を安定させる。
【００２１】
[0033]  図９で最良に示す一実施形態において、支持体２２５−１’〜２２５−４’は、直接垂直ではなく、僅かな角度で上方に延在している。図９に示すように、僅かな角度は垂直から５°であるが、角度が５°より大きいか又は５°未満であってもよいことは明らかである。支持体２２５−１’〜２２５−４’は、支持体２２５−１’〜２２５−４’及びテーブル天板３１０’が直角を形成するのではなく、むしろ８５°及び９５°の角度を形成するように、テーブル天板３１０’のそれぞれの端部に向かって上方及び外側に延在している。この構成は、結果としてより安定したテーブルを生じている。この特徴は、本発明の全ての実施形態で用いることができる。
【００２２】
[0034]  本発明を、幾つかの実施形態を参照して詳細に説明してきたが、追加の変形例及び修正は、発明の適用範囲及び精神内に存在している。 
【図１】
2020536669.tif 000003
【図２】
2020536669.tif 000004
【図３】
2020536669.tif 000005
【図４】
2020536669.tif 000006
【図５Ａ】
2020536669.tif 000007
【図５Ｂ】
2020536669.tif 000008
【図６Ａ】
2020536669.tif 000009
【図６Ｂ】
2020536669.tif 000010
【図６Ｃ】
2020536669.tif 000011
【図６Ｄ】
2020536669.tif 000012
【図７】
2020536669.tif 000013
【図８】
2020536669.tif 000014
【図９】
2020536669.tif 000015
【国際調査報告】
2020536669.tif 000016